(57)【要約】      （修正有）【課題】認証可能な認証データを有しないユーザであっても使用可能である画像処理装置を提供する。【解決手段】受け付けた認証データに基づく認証を経て自機の使用を許可する一の動作状態と、認証を経ずに自機の使用を許可する他の動作状態とを有し、一の動作状態又は他の動作状態にて画像処理を行う画像処理装置において、一の動作状態及び他の動作状態間の切り替えの指示を受け付け、受け付けた指示に応じて、一の動作状態及び他の動作状態間の切り替えを行う。【選択図】図３
2016039435.tif 000002
【特許請求の範囲】
【請求項１】
受け付けた認証データに基づく認証を経て自機の使用を許可する一の動作状態と、前記認証を経ずに自機の使用を許可する他の動作状態とを有し、前記一の動作状態又は他の動作状態にて画像処理を行う画像処理装置において、  
前記一の動作状態及び他の動作状態間の切り替えの指示を受け付ける指示受付手段と、
該指示受付手段が前記指示を受け付けた場合、前記切り替えを行う状態切替手段と
を備えることを特徴とする画像処理装置。
【請求項２】
前記他の動作状態にて、前記認証データに対応するユーザデータに代替する代替データを受け付ける代替データ受付手段と、
予め代替データを記憶している記憶部と、
外部に送信すべき送信データを生成するデータ生成手段とを備え、
該データ生成手段は、
前記一の動作状態では、前記認証データに対応するユーザデータに基づいて前記送信データを生成し、
前記他の動作状態では、受け付けた代替データ又は前記記憶部の代替データに基づいて前記送信データを生成するように構成されていることを特徴とする請求項１に記載の画像処理装置。
【請求項３】
前記記憶部が記憶している代替データを表示する表示部を備え、
該表示部が表示した代替データから選択された代替データに基づいて、前記データ生成手段が前記送信データを生成し、
前記記憶部は被選択頻度数に関連付けて前記代替データを記憶し、
前記表示部は前記被選択頻度数に応じて代替データを表示するように構成されていることを特徴とする請求項２に記載の画像処理装置。
【請求項４】
前記画像処理に係る複数種類の機能を有し、
前記他の動作状態では、一部の機能が制限されるように構成されていることを特徴とする請求項１から３の何れかに記載の画像処理装置。
【請求項５】
前記データ生成手段は、前記認証データ又は代替データに基づく送信者名が含まれる画像データを生成することを特徴とする請求項２又は３に記載の画像処理装置。
【発明の詳細な説明】
【技術分野】
【０００１】
本発明は、受け付けた認証データに基づく認証を経て自機の使用を許可する一の動作状態と、前記認証を経ずに自機の使用を許可する他の動作状態とを有し、前記一の動作状態又は他の動作状態にて画像処理を行う画像処理装置に関する。
【背景技術】
【０００２】
従来、ファクシミリ装置、複合機のような画像処理装置がユーザ情報を用いて画像形成を行う場合には画像処理装置の認証機構で認証受けたユーザでかつ利用権限のあるユーザのユーザ情報を用いて画像形成が行われていた。
【０００３】
特許文献１においては、認証ユーザの権限に応じて動作モードの仕様を許可し、又は禁止する認証装置が開示されている。更に、特許文献２においては、差出人の氏名を送信文書ごとに変更するインターネットファクシミリが開示されている。また、特許文献３においては、認証ユーザに応じて送信者メールアドレスを変更するユーザ情報提供システムが開示されている。
【先行技術文献】
【特許文献】
【０００４】
【特許文献１】特開２００７−１４１１７２号公報
【特許文献２】特開２００１−１１９５１９号公報
【特許文献３】特許第４７４６６９０号公報
【発明の概要】
【発明が解決しようとする課題】
【０００５】
特許文献１〜３においては、画像処理装置は画像形成を行う際、ユーザ情報を利用するために、ユーザが画像処理装置の認証機構で認証を受けていること、およびユーザが画像処理装置の認証機構から利用権限を与えられていること必要とする。
【０００６】
しかしながら、特許文献１〜３では、画像処理装置を利用する各々のユーザについて認証ステップ、権限付与ステップが必要となっており権限を持たないユーザは画像処理装置を利用できなくなっていた。このため、例えば、代理送信などを行うことができない等、画像処理装置の利便性が落ちていた。
【０００７】
また、特許文献１〜３においては、ユーザ情報に代替する代替情報が取得できない構成であるため、ユーザ情報以外の情報を用いた画像形成を行うことができなかった。更に、例えば、共用で画像処理装置が利用されているような場合は、画像形成のために共通のユーザ情報が用いられるため、画像形成に使われるユーザ情報を変更することができない。
【０００８】
本発明は、斯かる事情に鑑みてなされたものであり、その目的とするところは、受け付けた認証データに基づく認証を経て自機の使用を許可する一の動作状態と、前記認証を経ずに自機の使用を許可する他の動作状態とを有し、前記一の動作状態又は他の動作状態にて画像処理を行う画像処理装置において、前記一の動作状態及び他の動作状態間の切り替えの指示を受け付け、受け付けた指示に応じて、前記一の動作状態及び他の動作状態間の切り替えを行うことにより、認証可能な認証データを有しないユーザであっても前記他の動作状態に動作状態を切り替えて使用可能である画像処理装置を提供することにある。
【課題を解決するための手段】
【０００９】
本発明に係る画像処理装置は、受け付けた認証データに基づく認証を経て自機の使用を許可する一の動作状態と、前記認証を経ずに自機の使用を許可する他の動作状態とを有し、前記一の動作状態又は他の動作状態にて画像処理を行う画像処理装置において、前記一の動作状態及び他の動作状態間の切り替えの指示を受け付ける指示受付手段と、該指示受付手段が前記指示を受け付けた場合、前記切り替えを行う状態切替手段とを備えることを特徴とする。
【００１０】
本発明に係る画像処理装置は、前記他の動作状態にて、前記認証データに対応するユーザデータに代替する代替データを受け付ける代替データ受付手段と、予め代替データを記憶している記憶部と、外部に送信すべき送信データを生成するデータ生成手段とを備え、該データ生成手段は、前記一の動作状態では、前記認証データに対応するユーザデータに基づいて前記送信データを生成し、前記他の動作状態では、受け付けた代替データ又は前記記憶部の代替データに基づいて前記送信データを生成するように構成されていることを特徴とする。
【００１１】
本発明に係る画像処理装置は、前記記憶部が記憶している代替データを表示する表示部を備え、該表示部が表示した代替データから選択された代替データに基づいて、前記データ生成手段が前記送信データを生成し、前記記憶部は被選択頻度数に関連付けて前記代替データを記憶し、前記表示部は前記被選択頻度数に応じて代替データを表示するように構成されていることを特徴とする。
【００１２】
本発明に係る画像処理装置は、前記画像処理に係る複数種類の機能を有し、前記他の動作状態では、一部の機能が制限されるように構成されていることを特徴とする。
【００１３】
本発明に係る画像処理装置は、前記データ生成手段は、前記認証データ又は代替データに基づく送信者名が含まれる画像データを生成することを特徴とする。
【発明の効果】
【００１４】
本発明によれば、認証可能な認証データを有しないユーザであっても前記他の動作状態に動作状態を切り替えて前記画像処理装置を使用できる。
【図面の簡単な説明】
【００１５】
【図１】本発明の実施の形態１に係る複合機の要部構成を示す機能ブロック図である。
【図２】本発明の実施の形態１に係る複合機における、制御部の要部構成を示す機能ブロック図である。
【図３】本発明の実施の形態１に係る複合機が外部装置にファクシミリ送信を行う処理を説明するフローチャートである。
【図４】本発明の実施の形態１に係る複合機が外部装置にファクシミリ送信を行う処理を説明するフローチャートである。
【図５】本発明の実施の形態１に係る複合機の表示部に表示される操作画面の一例を示す例示図である。
【図６】本発明の実施の形態１に係る複合機の記憶部において、前記代替データ記憶部に格納されている代替データのうち、宛先情報を示す例示図である。
【図７】本発明の実施の形態１に係る複合機の記憶部において、前記代替データ記憶部に格納されている代替データのうち、送信者情報を示す例示図である。
【図８】本発明の実施の形態１に係る複合機において、ユーザが宛先及び送信者の直接入力を行う入力画面の一例を示す例示図である。
【図９】本発明の実施の形態２に係る複合機において、認証必要モードの場合、表示部に表示される機能選択画面の一例を示す例示図である。
【図１０】本発明の実施の形態２に係る複合機において、認証不要モードの場合、表示部に表示される機能選択画面の一例を示す例示図である。
【発明を実施するための形態】
【００１６】
以下に、本発明の実施の形態に係る画像処理装置を、ファクシミリの機能を有するいわゆる複合機に適用した場合であって、特許請求の範囲に記載の画像データがファクシミリ送信すべき画像データである場合を例として、図面に基づいて詳述する。
【００１７】
（実施の形態１）
図１は本発明の実施の形態１に係る複合機の要部構成を示す機能ブロック図である。図１において符号１００は本発明の実施の形態１に係る複合機であり、複合機１００は、アナログの公衆電話回線網などの通信回線に接続されている。
【００１８】
複合機１００は、認証必要モード（一の動作状態）及び認証不要モード（他の動作状態）の動作状態を有している。前記認証必要モードは、複合機１００の使用に当たり、ユーザの認証が必要な動作状態であり、前記認証不要モードは、複合機１００の使用に、ユーザの認証が不要である動作状態である。複合機１００おいては、斯かる認証必要モード及び認証不要モードを切り替えることができるように構成されている。
【００１９】
また、複合機１００は、制御部１１、原稿読取部１２、印字部１３、操作パネル１４、記憶部１５、符号／復号部１７、データ生成部１８及び通信部１９等を備えて構成されている。これらの各部は、バス１６を介して接続されており、前記通信回線を介して外部とデータの送受信を行う。
【００２０】
原稿読取部１２は、ＣＣＤ（Charge Coupled Device）などの光学センサを有しており、制御部１１の制御に従って光学センサにて所定の解像度で原稿画像の読み取りを行い、例えば、送信用の画像データを取得する。原稿読取部１２は、読み取って取得した画像データを記憶部１５に記憶する。
【００２１】
印字部１３は、例えば半導体レーザ又はＬＥＤ（Light Emitting Diode）等の光源、トナーを付着させるための感光ドラム、並びにトナーを熱及び圧力で印刷用紙へ転写して定着させる定着器等を有しており、例えば、通信回線を介したファクシミリ通信にて他のファクシミリ装置から受信した画像を印刷用紙などの媒体に画像形成（印刷）する。ファクシミリ通信にて受信した画像のデータは記憶部１５に記憶され、印字部１３は記憶部１５から画像データを読み出して画像の印刷を行う。
【００２２】
操作パネル１４は、スタートスイッチ、テンキー及び各種のファンクションスイッチ等のユーザの操作を受け付ける種々のスイッチを備えている。複合機１００を使用するユーザは、操作パネル１４のスイッチを操作することによって、送信先の入力、原稿を読み取る解像度の設定及び通信結果の確認等の種々の操作を行うことができる。操作パネル１４は、ユーザによるスイッチ操作を受け付けた場合に制御部１１へ操作内容を表す信号を送り、これにより制御部１１はユーザの操作に応じた処理を行う。
【００２３】
また、操作パネル１４は、ＬＣＤ又はＥＬ（Electroluminescence）パネル等の表示部１４１を有しており、制御部１１の制御に応じて文字及び画像等を表示する。操作パネル１４は、例えば複合機１００を操作するための設定項目及びメニュー、複合機１００の動作状態、並びに各種の警告メッセージ等を表示する。更に、操作パネル１４の表示部１４１の表はタッチパネルによって覆われており、制御部１１は該タッチパネルのタッチ操作を介してユーザから指示を受け付けることができる。
【００２４】
記憶部１５は、ＤＲＡＭ（Dynamic Random Access Memory）又はフラッシュメモリ等のデータ書き換え可能な大容量のメモリ素子で構成されており、原稿読取部１２が読み取った画像又はファクシミリ通信により受信した画像等のデータを一時的に記憶する。
【００２５】
また、記憶部１５は、例えば、認証データ記憶部及び代替データ記憶部を有している。前記認証データ記憶部には、前記認証必要モードでの自機の使用が許可されているユーザを表す認証データが記憶されており、前記代替データ記憶部には、前記認証データに対応する後述のユーザ情報に代替する代替データが記憶されている。より詳しくは、前記代替データは、前記認証必要モードでの自機の使用は許可されていないが、前記認証不要モードで自機を使用したことのあるユーザを表すデータである。
【００２６】
記憶部１５に記憶された前記認証データ及び代替データは、当該ユーザの名前、名称、電話番号等のユーザ情報（ユーザデータ）と関連付けて記憶されている。制御部１１はユーザから認証データを受け付けた場合、受け付けた認証データと、記憶部１５に記憶の認証データとを対照することにより認証を行う。
【００２７】
データ生成部１８は、外部に送信すべき画像データを含む送信データを生成する。斯かる画像データは、例えば、外部にファクシミリ送信すべき画像データである。より詳しくは、データ生成部１８は、記憶部１５に記憶されているユーザデータ若しくは代替データ、又は後述する代替データ受付部１１６がユーザから受け付けた代替データに基づく送信者名が含まれた画像データを生成する。また、データ生成部１８は、例えば、生成された画像データにユーザ情報を添付して、前記送信データを生成する。以下においては、データ生成部１８によって生成され、外部に送信すべき画像データを含む送信データを送信画像データという。
【００２８】
符号／復号部１７は、原稿読取部１２が読み取って取得した画像データ、データ生成部１８が生成した送信画像データ等の外部に送信すべきデータに対して予め定められた形式の符号化を行うことによって、ファクシミリ通信により送信すべき画像データのデータ量を低減する。また、ファクシミリ通信により他のファクシミリ通信装置から符号化された画像データを受信し、これを復号して元の形式に戻す処理、すなわち、符号／復号部１７は、制御部１１の制御に応じて、原稿読取部１２が読み取った送信用の画像データ、データ生成部１８が生成した送信画像データを符号化して記憶部１５へ記憶し、また受信した画像データを復号して印字部１３へ与える。
【００２９】
通信部１９は、前記通信回線を介して他のファクシミリ通信用装置との間でデータの送受信を行うものであり、ＮＣＵ（Network Control Unit）２０及びモデム２１を有している。ＮＣＵ２０は、アナログの公衆電話回線網などの通信回線の閉結及び開放の回線制御を行うものであり、制御部１１の制御に応じてモデム２１を通信回線に接続する。またＮＣＵ２０は、予め定められたファクシミリ通信のプロトコルに従って、画像データ及び制御信号等の送受信を行うと共に、ファクシミリ通信の自動発呼処理及び自動着呼処理を行う。
【００３０】
モデム２１は、ファクシミリ通信の規格に基づいて、送信すべき画像データ（送信画像データ）を通信回線での伝達に適した形式のアナログ信号に変調すると共に、他のファクシミリ通信装置からのアナログ信号を復調して画像データを取得する。
【００３１】
これらにより複合機１００は、原稿読取部１２にて原稿を読み取って送信用の画像データ、又はデータ生成部１８が生成した送信画像データを、斯かる画像データを符号／復号部１７にて符号化することでデータ量を低減し、通信部１９にて該画像データをアナログ信号に変換して通信回線を介して他のファクシミリ通信用装置へ送信することができる。また、通信回線を介して他のファクシミリ通信用装置からのデータを受信した場合、複合機１００は、通信部１９にて受信データを復調して画像データを取得し、この画像データを符号／復号部１７にて復号し、印字部１３にて印刷用紙に画像を印刷することができる。
【００３２】
図２は本発明の実施の形態１に係る複合機１００における、制御部１１の要部構成を示す機能ブロック図である。制御部１１は、ＣＰＵ１１１、ＲＯＭ１１２、ＲＡＭ１１３と、状態切替部１１４と、指示受付部１１５と、代替データ受付部１１６と、選択受付部１１７と、認証部１１８とを備えている。
【００３３】
ＲＯＭ１１２には各種の制御プログラム、演算用のパラメータのうちの基本的に固定のデータ等が予め格納されており、ＲＡＭ１１３はデータを一時的に記憶し、記憶順、記憶位置等に関係なく読み出すことが可能である。また、ＲＡＭ１１３は、例えば、ＲＯＭ１１２から読み出されたプログラム、該プログラムを実行することにより発生する各種データ、該実行の際適宜変化するパラメータ等を記憶する。
【００３４】
ＣＰＵ１１１は、ＲＯＭ１１２に予め格納されている制御プログラムをＲＡＭ１１３上にロードして実行することによって、上述した各種ハードウェアの制御を行ない、装置全体を本発明の複合機１００として動作させる。    
【００３５】
指示受付部１１５は、前記２つの動作状態間の切り替えの指示を受け付ける。指示受付部１１５は操作パネル１４を介して斯かる指示を受け付ける。例えば、ユーザが、操作パネル１４の「エンター」キーを長押した場合、指示受付部１１５は、前記認証必要モードから前記認証不要モードに動作状態を切り替える指示、又は前記認証不要モードから前記認証必要モードに動作状態を切り替える指示を受け付けたと認識する。以下、これら指示を切り替え指示という。
【００３６】
状態切替部１１４は、指示受付部１１５が前記切り替え指示を受け付けた場合、前記認証必要モードから前記認証不要モードに動作状態を切り替え、又は前記認証不要モードから前記認証必要モードに動作状態を切り替える。例えば、自機が認証必要モードである場合、指示受付部１１５が前記切り替え指示を受け付けたときは、状態切替部１１４は現在の認証必要モードから前記認証不要モードに動作状態を切り替える。また、自機が認証不要モードである場合に、指示受付部１１５が前記切り替え指示を受け付けたときは、状態切替部１１４は、現在の認証不要モードから前記認証必要モードに動作状態を切り替える。
【００３７】
代替データ受付部１１６は、前記認証不要モードにて、前記ユーザデータに代替する代替データを受け付ける。例えば、表示部１４１に前記代替データの入力できる入力画面（例えば、後述する操作画面）を表示し、該入力画面に前記代替データをユーザが入力することにより、代替データ受付部１１６は該入力画面を介してユーザから代替データを受け付ける。
【００３８】
また、選択受付部１１７は、表示部１４１が記憶部１５の代替データ記憶部に記憶されている代替データに基づいて、代替データのリストを表示した場合、表示部１４１に表示された代替データのうち何れかの選択をユーザから受け付ける。
【００３９】
また、認証部１１８はユーザ認証を行う。例えば、表示部１４１に表示されるログイン画面を介して、ユーザから認証情報（例えば、ユーザＩＤ、パスワード等）を受け付けた場合、認証部１１８は受け付けた認証情報と、記憶部１５に記憶の認証情報とを比較することにより認証を行う。
【００４０】
図３及び図４は本発明の実施の形態１に係る複合機１００が外部装置にファクシミリ送信を行う処理を説明するフローチャートである。すなわち、以下においては、前記送信画像データが、ファクシミリ送信によって外部に送信すべき画像データである場合を例として説明する。
【００４１】
ユーザはファクシミリ送信したい原稿を原稿読取部１２の原稿台にセットする。この際、指示受付部１１５は、操作パネル１４を監視することにより、前記切り替え指示を受け付けたか否かを判定する（ステップＳ１０１）。例えば、操作パネル１４の「エンター」キーが長押された場合、指示受付部１１５は切り替え指示を受け付けたと判定する。
【００４２】
指示受付部１１５が前記切り替え指示を受け付けたと判定した場合（ステップＳ１０１：ＹＥＳ）、状態切替部１１４は、現在認証必要モードであれば前記認証不要モードに動作状態を切り替え、又は、現在認証不要モードであれば前記認証必要モードに動作状態を切り替える（ステップＳ１１２）。
【００４３】
一方、指示受付部１１５によって前記切り替え指示を受け付けていないと判定された場合（ステップＳ１０１：ＮＯ）、ＣＰＵ１１１は、現在、認証不要モードであるか否か判定する（ステップＳ１０２）。
【００４４】
ＣＰＵ１１１は、現在、認証不要モードでないと判定した場合（ステップＳ１０２：ＮＯ）、ステップＳ１１４の処理に進む。
【００４５】
また、ＣＰＵ１１１は、現在、認証不要モードであると判定した場合（ステップＳ１０２：ＹＥＳ）、後述するように、送信者名の変更が行われたか判断するために、予め送信者名変更フラグをＦａｌｓｅで初期化しておく（ステップＳ１０３）。
【００４６】
斯かる初期化の後、ＣＰＵ１１１は、表示部１４１に、ファクシミリ送信を行うための操作画面を表示するよう指示する。ＣＰＵ１１１の指示に応じて表示部１４１は前記操作画面を表示する（ステップＳ１０４）。
【００４７】
図５は本発明の実施の形態１に係る複合機１００の表示部１４１に表示される操作画面の一例を示す例示図である。この操作画面では、斯かるファクシミリ送信における、宛先、送信者などのファクシミリ送信設定情報、及び、画像送信を開始する指示を受け付けるための「送信」ソフトキーが表示されている。
【００４８】
また、前記操作画面において、宛先、送信者はユーザからの直接入力を受け付け、又は、既に記憶されているリストからユーザの選択を受け付けることにより変更できるように構成されている。前記操作画面には、宛先のリスト、又は送信者のリストを表示する指示を受け付ける「リストから選択」ソフトキーが表示されている。
【００４９】
図６は本発明の実施の形態１に係る複合機１００の記憶部１５において、前記代替データ記憶部に格納されている代替データのうち、宛先情報を示す例示図であり、図７は本発明の実施の形態１に係る複合機１００の記憶部１５において、前記代替データ記憶部に格納されている代替データのうち、送信者情報を示す例示図である。
【００５０】
例えば、ユーザが宛先に係る「リストから選択」ソフトキーをタッチする操作を行った場合、ＣＰＵ１１１は前記操作画面を介して宛先のリストを表示する指示をユーザから受け付け、宛先のリストを表示するよう表示部１４１に指示する。表示部１４１は、ＣＰＵ１１１の指示に応じて、図６の宛先情報に基づいて宛先のリストを表示する。
【００５１】
また、ユーザが送信者に係る「リストから選択」ソフトキーをタッチする操作を行った場合、ＣＰＵ１１１は前記操作画面を介して送信者のリストを表示する指示をユーザから受け付け、送信者のリストを表示するよう表示部１４１に指示する。表示部１４１は、ＣＰＵ１１１の指示に応じて、図７の送信者情報に基づいて送信者のリストを表示する。
【００５２】
この際、ユーザは、表示部１４１に表示された宛先のリスト又は送信者のリストから何れかをタッチすることにより選択を行い、これによって、選択受付部１１７はユーザから選択を受け付ける。
【００５３】
一方、ユーザは前記操作画面を介して、宛先、送信者を直接入力できる。以下、説明の便宜上、ユーザが送信者を直接入力する場合を例として説明する。図８は本発明の実施の形態１に係る複合機１００において、ユーザが宛先及び送信者の直接入力を行う入力画面の一例を示す例示図である。
【００５４】
例えば、前記操作画面において、ユーザが宛先又は送信者に係る「直接入力」ソフトキーをタッチする操作を行った場合、ＣＰＵ１１１は前記操作画面を介して前記入力画面を表示する指示をユーザから受け付け、斯かる入力画面を表示するよう表示部１４１に指示する。表示部１４１は、ＣＰＵ１１１の指示に応じて、図８に示したような入力画面を表示する。
【００５５】
図８の入力画面には、送信者の表示項目Ｘと、表示項目Ｘに直接入力するためのソフトウェアキーボードＹとが表示されている。ユーザはソフトウェアキーボードＹを適宜タッチすることで表示項目Ｘの値を入力編集できる。
【００５６】
このように、ユーザが前記入力画面を介して送信者の直接入力を行った場合、代替データ受付部１１６はユーザから送信者の入力を受け付ける。
【００５７】
また、前記操作画面においては、表示初めから所定の宛先及び送信者がデフォルトとして表示されるように構成しても良く、空欄にて表示されるように構成しても良い．
【００５８】
この際、ＣＰＵ１１１は、前記「送信」ソフトキーが押下されたか否かを判定する（ステップＳ１０５）。斯かる判定は前記タッチパネルからの信号に基づいて行われる。
【００５９】
ＣＰＵ１１１は、前記「送信」ソフトキーが押下されていないと判定した場合（ステップＳ１０５：ＮＯ）、処理をステップＳ１０４に戻す。
【００６０】
一方、ＣＰＵ１１１は、前記「送信」ソフトキーが押下されたと判定した場合（ステップＳ１０５：ＹＥＳ）、送信者名が変更されたか否かを判定する（ステップＳ１０６）。換言すれば、ＣＰＵ１１１は、選択受付部１１７がユーザから送信者の選択を受け付け、又は、代替データ受付部１１６がユーザから送信者の直接入力を受け付けたか判定する。
【００６１】
ＣＰＵ１１１は、送信者名が変更されていないと判定した場合（ステップＳ１０６：ＮＯ）、処理をステップＳ１０８に進める。一方、ＣＰＵ１１１は、送信者名が変更されたと判定した場合（ステップＳ１０６：ＹＥＳ）、ステップＳ１０３にてＦａｌｓｅに設定していた送信者名変更フラグをＴｒｕｅに設定する（ステップＳ１０７）。
【００６２】
次いで、ＣＰＵ１１１は、送信者名の変更があるか否かを判定する（ステップＳ１０８）。斯かる判定は、変更フラグの値に基づいて判定される。すなわち、ＣＰＵ１１１は、変更フラグの値がＴｒｕｅである場合、送信者名の変更があったと判定し、変更フラグの値がＦａｌｓｅである場合、送信者名の変更がないと判定する。
【００６３】
ＣＰＵ１１１は、送信者名の変更がないと判定した場合（ステップＳ１０８：ＮＯ）、送信者名の変更の要否を判定する（ステップＳ１１３）。例えば、ＣＰＵ１１１は、送信者名の変更の要否を問うダイアログボックスを表示するよう、表示部１４１に指示し、表示部１４１がＣＰＵ１１１の指示に応じて斯かるダイアログボックスを表示する。これによって、ＣＰＵ１１１は、ユーザから送信者名の変更の要否に対する選択を受け付けることができる。また、この際、ユーザは、送信者名の変更、修正等を更に行うこともできる。
【００６４】
ＣＰＵ１１１は、送信者名の変更が必要であると判定した場合（ステップＳ１１３：ＹＥＳ）、処理をステップＳ１０４に戻す。
【００６５】
一方、ＣＰＵ１１１が、送信者名の変更が不要であると判定した場合（ステップＳ１１３：ＮＯ）、又は、ステップＳ１０８にて、ＣＰＵ１１１が、送信者名の変更があると判定した場合（ステップＳ１０８：ＹＥＳ）、処理はステップＳ１０９に進む。
【００６６】
次いで、ＣＰＵ１１１は、前記原稿台にセットされた原稿の読み取りを原稿読取部１２に指示する。ＣＰＵ１１１の指示に応じて、原稿読取部１２は斯かる原稿の読み取りを行う（ステップＳ１０９）。
【００６７】
また、データ生成部１８は、原稿読取部１２によって読み取られた原稿の画像データと、ステップＳ１０４にて、選択受付部１１７がユーザから選択を受け付け、又は、代替データ受付部１１６がユーザから直接入力を受け付けた送信者（送信者名）とを用いて、送信画像データ、すなわち、ファクシミリ送信用の送信データを生成する（ステップＳ１１０）。
【００６８】
ＣＰＵ１１１は、データ生成部１８によって生成されたファクシミリ送信用の送信データを、ステップＳ１０４にて、選択受付部１１７がユーザから選択を受け付け、又は、代替データ受付部１１６がユーザから直接入力を受け付けた宛先に送信するよう、通信部１９に指示する。通信部１９はＣＰＵ１１１の指示に応じて斯かるファクシミリ送信用の送信データを送信する（ステップＳ１１１）。
【００６９】
一方、ステップＳ１０２にて、ＣＰＵ１１１は、現在、認証不要モードでないと判定した場合（ステップＳ１０２：ＮＯ）、すなわち、現在、認証必要モードである場合、表示部１４１にログイン画面の表示を指示する。ＣＰＵ１１１の指示に応じて、表示部１４１はログイン画面を表示し、ＣＰＵ１１１は該ログイン画面を介して、ユーザＩＤ、パスワード等の認証情報を受け付ける（ステップＳ１１４）。
【００７０】
前記ログイン画面を介して、ユーザからユーザＩＤ、パスワード等の認証情報を受け付けた場合、認証部１１８は受け付けたユーザＩＤ、パスワード等の認証情報と、記憶部１５に記憶されている認証情報とを比較することにより認証を行う。
【００７１】
この際、ＣＰＵ１１１は、認証部１８の認証結果に基づいて、斯かるユーザの認証が出来たか否かを判定する（ステップＳ１１５）。
【００７２】
例えば、斯かるユーザの認証が出来なかったと判定した場合（ステップＳ１１５：ＮＯ）、ＣＰＵ１１１は前記ログイン画面を介して受け付けたユーザＩＤ、パスワード等を無効とし（ステップＳ１２１）、処理をステップＳ１１４に戻す。
【００７３】
また、斯かるユーザの認証が出来たと判定した場合（ステップＳ１１５：ＹＥＳ）、ＣＰＵ１１１は、表示部１４１に、ファクシミリ送信を行うための操作画面を表示するよう指示する。ＣＰＵ１１１の指示に応じて表示部１４１は図５に示したような操作画面を表示する（ステップＳ１１６）。
【００７４】
しかし、本処理においては、現在、認証必要モードであり、ユーザの認証が出来ているので、斯かる操作画面において、送信者名は、該認証に係るユーザＩＤ、パスワード等に対応する特定の送信者名（ユーザ情報）がデフォルトとして表示される。
【００７５】
しかし、本発明は、これに限るものでなく、上述したように、送信者を、ユーザが直接入力し、又は、送信者リストからユーザが選択することにより変更できるように構成しても良い。
【００７６】
なお、宛先に関しては、ステップＳ１０４と同様、斯かる操作画面を介してユーザからの直接入力を受け付け、又は、既に記憶されているリストからユーザの選択を受け付けることにより変更できるように構成されている。
【００７７】
前記操作画面を介した、宛先、送信者の設定をユーザから受け付ける処理に対しては、既に説明しており、詳しい説明を省略する。
【００７８】
以上のように、ユーザから宛先の設定を受け付けた後、前記タッチパネルからの信号に基づいて、ＣＰＵ１１１は、前記「送信」ソフトキーが押下されたか否かを判定する（ステップＳ１１７）。
【００７９】
ＣＰＵ１１１は、前記「送信」ソフトキーが押下されていないと判定した場合（ステップＳ１１７：ＮＯ）、処理をステップＳ１１６に戻す。一方、ＣＰＵ１１１は、前記「送信」ソフトキーが押下されたと判定した場合（ステップＳ１１７：ＹＥＳ）、前記原稿台にセットされた原稿の読み取りを原稿読取部１２に指示し、ＣＰＵ１１１の指示に応じて、原稿読取部１２は斯かる原稿の読み取りを行う（ステップＳ１１８）。
【００８０】
また、データ生成部１８は、原稿読取部１２によって読み取られた原稿の画像データと、ステップＳ１１４にて、前記ログイン画面を介して受け付けたユーザＩＤ、パスワード等に対応する特定の送信者名とを用いて、送信画像データ、すなわち、ファクシミリ送信用の送信データを生成する（ステップＳ１１９）。
【００８１】
ＣＰＵ１１１は、データ生成部１８によって生成されたファクシミリ送信用の送信データを、ステップＳ１１６にて、選択受付部１１７がユーザから選択を受け付け、又は、代替データ受付部１１６がユーザから直接入力を受け付けた宛先に送信するよう、通信部１９に指示する。通信部１９はＣＰＵ１１１の指示に応じて斯かるファクシミリ送信用の送信データを送信する（ステップＳ１２０）。
【００８２】
本発明に係る複合機１００は以上のような構成を有することから、登録されたユーザＩＤを有しないユーザでも使用可能である。また、登録されたユーザＩＤを有しないユーザの使用時、すなわち、認証不要モードでは、登録されたユーザＩＤ、パスワード等に対応する特定の送信者名にて送信画像データが生成されることがないので、他人名にて送信データの送信が行われることを未然に防止でき、また、ユーザからの直接入力を受け付け、又は、既に記憶されているリストからユーザの選択を受け付けることにより送信者の設定・変更できるように構成されているので、送信者名を付さず、送信データの送信が行われることを未然に防止できる。
【００８３】
なお、以上の記載においては、前記操作画面を介して選択受付部１１７がユーザから選択を受け付け、又は、代替データ受付部１１６がユーザから直接入力を受け付けた送信者名を用いて、データ生成部１８が送信画像データ（送信データ）を作成する場合を例として説明したが、本発明はこれに限るものでない。例えば、データ生成部１８が、前記送信画像データを作成に、前記操作画面を介して選択受付部１１７がユーザから選択を受け付け、又は、代替データ受付部１１６がユーザから直接入力を受け付けた宛先も用いるように構成しても良い。
【００８４】
（実施の形態２）
本発明の実施の形態２に係る複合機１００は、実施の形態１に係る複合機１００と略同様の構成を有しているが、表示部１４１での画像表示方法において相違する。以下、詳しく説明する。
【００８５】
本発明の実施の形態２に係る複合機１００においては、その際、認証必要モードであるか、認証不要モードであるかによって、表示部１４１に表示する、後述の機能選択画面の内容が異なるように構成されている。
【００８６】
例えば、複合機１００は、デフォルトとして認証必要モードに設定されている。認証必要モードでは、表示部１４１に表示されるログイン画面を介して、ユーザからユーザＩＤ、パスワード等の認証情報を受け付けてユーザ認証を行う。
【００８７】
ユーザ認証ができた場合、表示部１４１は、自機が有する複数種類の機能を列挙した機能選択画面を表示する。図９は本発明の実施の形態２に係る複合機１００において、認証必要モードの場合、表示部１４１に表示される機能選択画面の一例を示す例示図である。
【００８８】
図９の機能選択画面には、「コピー」、「ＦＡＸ」、「ｅ-ｍａｉｌ」及び「ＵＳＢメモリ印刷」の４つの機能に係るソフトキーが設けられている。ユーザが希望する何れかの機能をタッチして選択することによって、複合機１００のＣＰＵ１１１はユーザの選択を受け付けることができる。
【００８９】
一方、ユーザが操作パネル１４の「エンター」キーを長押して、認証必要モードから認証不要モードに切り替えされた場合、表示部１４１は、前記ログイン画面を表示さず、機能選択画面を表示する。しかし、認証不要モードにおける、機能選択画面は、認証必要モードのそれと相違する。
【００９０】
具体的には、認証不要モードの機能選択画面は、選択候補として表示される機能が一部制限されている。図１０は本発明の実施の形態２に係る複合機１００において、認証不要モードの場合、表示部１４１に表示される機能選択画面の一例を示す例示図である。
【００９１】
図１０の機能選択画面には、「ＦＡＸ」及び「ｅ-ｍａｉｌ」の機能のみが選択できる候補として、斯かるソフトキーが設けられている。一方、「コピー」、及び「ＵＳＢメモリ印刷」の機能に係るソフトキーは表示されるのみで、ユーザによる選択（タッチ）ができないように表示されている。
【００９２】
従って、登録されたユーザＩＤを有しないユーザ、例えば、訪問者等のユーザにも、認証不要モードでの複合機１００の使用を可能にするものの、必要に応じて、一部の機能の使用を制限することができる。
【００９３】
例えば、上述したように、複合機１００の消耗品の消耗に係る、「コピー」、及び「ＵＳＢメモリ印刷」の機能の使用を制限した場合、想定外の消耗品費用が発生することを抑制することができる。
【００９４】
また、本発明は以上の記載に限るものでなく、認証不要モードの場合、使用が制限される機能を、ユーザが必要に応じて設定できるように構成しても良い。
【００９５】
また、以上においては、ログイン画面の表示後、機能選択画面が表示される構成である場合を例として説明したが、本発明はこれに限るものでなく、先に機能選択画面が表示され、その後ログイン画面が表示されるように構成しても良い。
【００９６】
実施の形態１と同様の部分については、同一の符号を付して詳細な説明を省略する。
【００９７】
（実施の形態３）
本発明の実施の形態３に係る複合機１００は、実施の形態１に係る複合機１００と同様の構成を有しているが、記憶部１５の構成及び表示部１４１での前記認証データ及び代替データのリスト表示方法において相違する。以下、詳しく説明する。
【００９８】
本発明の実施の形態３に係る複合機１００においては、記憶部１５は前記認証データ及び代替データを、各々の被選択頻度に関連付けて記憶している。換言すれば、記憶部１５は、前記操作画面を介して選択受付部１１７がユーザから宛先又は送信者の選択を受け付けた頻度に関連付けて、前記認証データ及び代替データを記憶している。
【００９９】
また、表示部１４１は、前記認証データ又は代替データのリストを表示する際、これらに関連付けられている被選択頻度に基づいて、当該リストの表示を行う。例えば、表示部１４１は、被選択頻度の高い順に前記認証データ又は代替データのリストを表示し、ユーザの選択の利便性を図ることができる。
【０１００】
また、本発明は以上の記載に限るものでない。例えば、ユーザが前記入力画面を介して宛先又は送信者の直接入力を行う際、いわゆる、インクリメンタルサーチができるように構成しても良い。
【０１０１】
本発明の実施態様１においては、受け付けた認証データに基づく認証を経て自機の使用を許可する一の動作状態と、前記認証を経ずに自機の使用を許可する他の動作状態とを有し、前記一の動作状態又は他の動作状態にて画像処理を行う画像処理装置１００において、前記一の動作状態及び他の動作状態間の切り替えの指示を受け付ける指示受付手段１１５と、該指示受付手段１１５が前記指示を受け付けた場合、前記切り替えを行う状態切替手段１１４とを備えることを特徴とする。
【０１０２】
本発明によれば、前記一の動作状態及び他の動作状態間の切り替えの指示を受け付け、受け付けた指示に応じて、前記状態切替手段が前記一の動作状態及び他の動作状態間の切り替えを行う。
【０１０３】
本発明の実施態様２においては、前記他の動作状態にて、前記認証データに対応するユーザデータに代替する代替データを受け付ける代替データ受付手段１１６と、予め代替データを記憶している記憶部１５と、外部に送信すべき送信データを生成するデータ生成手段１８とを備え、該データ生成手段１８は、前記一の動作状態では、前記認証データに対応するユーザデータに基づいて前記送信データを生成し、前記他の動作状態では、受け付けた代替データ又は前記記憶部１５の代替データに基づいて前記送信データを生成するように構成されていることを特徴とする。
【０１０４】
本発明によれば、前記画像生成手段は、前記一の動作状態では、前記認証データに基づいて外部に送信すべき画像データを生成し、前記他の動作状態では、前記代替データ受付手段が受け付けた代替データ又は前記記憶部が記憶している代替データに基づいて前記画像データを生成する。
【０１０５】
本発明の実施態様３においては、前記記憶部１５が記憶している代替データを表示する表示部１４１を備え、該表示部１４１が表示した代替データから選択された代替データに基づいて、前記データ生成手段１８が前記送信データを生成し、前記記憶部１５は被選択頻度数に関連付けて前記代替データを記憶し、前記表示部１４１は前記被選択頻度数に応じて代替データを表示するように構成されていることを特徴とする。
【０１０６】
本発明によれば、前記表示部は前記被選択頻度数に応じて、例えば、被選択頻度の高い順に代替データのリストを表示し、該表示部が表示した代替データのリストからユーザが選択した代替データに基づいて、前記画像生成手段が前記画像データを生成する。
【０１０７】
本発明の実施態様４においては、前記画像処理に係る複数種類の機能を有し、前記他の動作状態では、一部の機能が制限されるように構成されていることを特徴とする。
【０１０８】
本発明によれば、前記他の動作状態では、一部の機能が制限されるので、前記他の動作状態で実施可能な機能は前記一の動作状態より少ない。
【０１０９】
本発明の実施態様５においては、前記データ生成手段１８は、前記認証データ又は代替データに基づく送信者名が含まれる画像データを生成することを特徴とする。
【０１１０】
本発明によれば、前記一の動作状態の場合、前記画像生成手段は前記認証データに基づく送信者名が含まれる画像データを生成し、前記他の動作状態の場合、前記画像生成手段は前記代替データに基づく送信者名が含まれる画像データを生成する。
【符号の説明】
【０１１１】
１５  記憶部
１８  データ生成部
１１１  ＣＰＵ
１１４  状態切替部
１１５  指示受付部
１１６  代替データ受付部
１１７  選択受付部
１１８  認証部
１４１  表示部
１００  複合機
【図１】
2016039435.tif 000003
【図２】
2016039435.tif 000004
【図３】
2016039435.tif 000005
【図４】
2016039435.tif 000006
【図５】
2016039435.tif 000007
【図６】
2016039435.tif 000008
【図７】
2016039435.tif 000009
【図８】
2016039435.tif 000010
【図９】
2016039435.tif 000011
【図１０】
2016039435.tif 000012